(57)【要約】【課題】  複写機、プリンタ等の画像形成装置における断裁を行う処理において、最適なサイズに変倍してふち無し出力を行う画像形成装置を提供する。【解決手段】  製本手段によって束ねられた記録紙束に対して指定された仕上がりサイズになるように記録紙束の端部を断裁する断裁手段と、を備え、画像変倍手段による原稿画像に対する変倍率を有効画像領域設定手段によって設定された有効画像領域と仕上がりサイズとの比較によって決定する。【選択図】  図２
2009128439.tif 000002
【特許請求の範囲】
【請求項１】
原稿画像を読み取る原稿読取手段と、前記原稿読取手段によって読み取られた原稿画像を指定された変倍率で拡大ないし縮小する画像変倍手段と、前記原稿画像中の有効画像領域を設定する有効画像領域設定手段と、前記原稿画像に対して前記画像変倍手段によって原稿画像を拡大ないし縮小された画像をトナー像に顕像化して記録紙上に転写する画像形成手段と、前記画像形成手段によって形成された記録紙を複数枚集積した状態で後処理を加えて１つに束ねて記録紙束にする製本手段と、前記製本手段によって束ねられた記録紙束に対して指定された仕上がりサイズになるように記録紙束の端部を断裁する断裁手段とを備え、
前記画像変倍手段による原稿画像に対する変倍率を前記有効画像領域設定手段によって設定された有効画像領域と仕上がりサイズとの比較によって決定することを特徴とする画像形成装置。
【請求項２】
装置の外部との通信を行う為の通信手段と、前記通信手段を経由して受信したデジタル画像を受信するデジタル画像受信手段と、前記デジタル画像受信手段によって受信したデジタル画像を指定された変倍率で拡大ないし縮小する画像変倍手段と、前記デジタル画像中の有効画像領域を設定する有効画像領域設定手段と、前記デジタル画像に対して前記画像変倍手段によってデジタル画像を拡大ないし縮小された画像をトナー像に顕像化して記録紙上に転写する画像形成手段と、前記画像形成手段によって形成された記録紙を複数枚集積した状態で後処理を加えて１つに束ねて記録紙束にする製本手段と、前記製本手段によって束ねられた記録紙束に対して指定された仕上がりサイズになるように記録紙束の端部を断裁する断裁手段とを備え、
前記画像変倍手段によるデジタル画像に対する変倍率を前記有効画像領域設定手段によって設定された有効画像領域と仕上がりサイズとの比較によって決定することを特徴とする画像形成装置。
【請求項３】
前記有効画像領域設定手段の有効画像領域の設定方法として原稿画像を端部から見て白ないし無色の連続部から有色に変化した位置を有効画像領域と非有効画像領域の境界とすることを特徴とする請求項１に記載の画像形成装置。
【請求項４】
前記有効画像領域設定方法の設定方法として、前記デジタル画像受信手段によってデジタル画像に付属する余白量情報を元に有効画像領域を設定することを特徴とする請求項２に記載の画像形成装置。
【請求項５】
前記有効画像領域設定方法の設定方法として、操作部から有効画像領域を設定することを特徴とする請求項１又は請求項２に記載の画像形成装置。
【請求項６】
前記有効画像領域に対して前記画像変倍手段による変倍処理を行った領域の中に、前記断裁手段による断裁ずれ量と仕上がりサイズの和から決定される領域を含むように、前記画像変倍手段による変倍率の設定を行うことを特徴とする請求項１〜請求項５のいずれかに記載の画像形成装置。
【発明の詳細な説明】
【技術分野】
【０００１】
本発明は、主に複写機、プリンタ等の画像形成装置に関する。
【背景技術】
【０００２】
従来、原稿画像もしくはネットワーク経由で受信したデジタル画像を記録紙上に画像形成し、その記録紙に対してステープル、穴空け、折り等の処理をオンラインで行うことで出力成果物に対する後処理も行うことができる画像形成装置が広がっている。
【０００３】
さらに、近年では記録紙を束ねた状態で中央部をステープルで綴じ、２つ折りした状態で記録紙束の２つ折りした部分の向かい側を断裁する２つ折り製本、もしくは本文となる記録紙束の一辺に糊付けし、表紙で記録紙束を包んだ状態で３方を断裁するくるみ製本などの製本処理も可能な画像形成装置も登場している。
【０００４】
だが、断裁処理を行うことから、原稿画像もしくはネットワーク経由で受信したデジタル画像を等倍のままで記録紙上に画像形成するのではなく、画像サイズを断裁後の仕上がりサイズに収まるように拡大もしくは縮小することが必要となる。
【０００５】
このため、従来では原稿の用紙サイズと後処理後の有効画像形成領域の大きさを比較して、原稿を縮小して記録紙上に画像形成する方法（特許文献１）が既に提示されている。
【特許文献１】特開平１１−３４６３０１号公報
【発明の開示】
【発明が解決しようとする課題】
【０００６】
しかし、原稿サイズを仕上がりサイズに収まるように縮小した場合、余白が入っている原稿や余白量が設定されているデジタル画像を用いた場合において断裁後の成果物に対しても余白が残ってしまい、断裁によるメリットが失われてしまう。つまり、現在の電子写真では記録紙に対する余白が数mm必要だが断裁することでふち無し画像を実現できるのにも関わらず、わざわざ余白を設けることになる。
【０００７】
また、記録紙を束にする際に記録紙間の整合処理を行うが、完全に記録紙間の位置ずれを無くすことは容易ではなく、このわずかな位置ずれが断裁後に残って不自然な余白になってしまうと成果物の見栄えを悪くする。同様に断裁処理の位置ずれも余白を発生させる原因になり見栄えを悪くする。
【０００８】
本発明ではこのような状況を踏まえて、断裁を行う処理を含む印刷ジョブにおいて原稿画像もしくはネットワーク経由で受信したデジタル画像を最適なサイズに変倍することでふち無し出力を行う画像形成装置を提供することを目的とする。
【課題を解決するための手段】
【０００９】
前記課題を解決する為に請求項１の発明は、原稿画像を読み取る原稿読取手段と、前記原稿読取手段によって読み取られた原稿画像を指定された変倍率で拡大ないし縮小する画像変倍手段と、前記原稿画像中の有効画像領域を設定する有効画像領域設定手段と、前記原稿画像に対して前記画像変倍手段によって原稿画像を拡大ないし縮小された画像をトナー像に顕像化して記録紙上に転写する画像形成手段と、前記画像形成手段によって形成された記録紙を複数枚集積した状態で後処理を加えて１つに束ねて記録紙束にする製本手段と、前記製本手段によって束ねられた記録紙束に対して指定された仕上がりサイズになるように記録紙束の端部を断裁する断裁手段とを備え、前記画像変倍手段による原稿画像に対する変倍率を前記有効画像領域設定手段によって設定された有効画像領域と仕上がりサイズとの比較によって決定することを特徴とする。
【００１０】
請求項２の発明は、装置の外部との通信を行う為の通信手段と、前記通信手段を経由して受信したデジタル画像を受信するデジタル画像受信手段と、前記デジタル画像受信手段によって受信したデジタル画像を指定された変倍率で拡大ないし縮小する画像変倍手段と、前記デジタル画像中の有効画像領域を設定する有効画像領域設定手段と、前記デジタル画像に対して前記画像変倍手段によってデジタル画像を拡大ないし縮小された画像をトナー像に顕像化して記録紙上に転写する画像形成手段と、前記画像形成手段によって形成された記録紙を複数枚集積した状態で後処理を加えて１つに束ねて記録紙束にする製本手段と、前記製本手段によって束ねられた記録紙束に対して指定された仕上がりサイズになるように記録紙束の端部を断裁する断裁手段とを備え、前記画像変倍手段によるデジタル画像に対する変倍率を前記有効画像領域設定手段によって設定された有効画像領域と仕上がりサイズとの比較によって決定することを特徴とする。
【００１１】
請求項３の発明は、請求項１を満たす画像形成装置のうち、前記有効画像領域設定手段の有効画像領域の設定方法として原稿画像を端部から見て白ないし無色の連続部から有色に変化した位置を有効画像領域と非有効画像領域の境界とすることを特徴とする。
【００１２】
請求項４の発明は、請求項２を満たす画像形成装置のうち、前記有効画像領域設定方法の設定方法として、前記デジタル画像受信手段によってデジタル画像に付属する余白量情報を元に有効画像領域を設定することを特徴とする。
【００１３】
請求項５の発明は、請求項１ないし請求項２を満たす画像形成装置のうち、前記有効画像領域設定方法の設定方法として、操作部から有効画像領域を設定することを特徴とする。
【００１４】
請求項６の発明は、請求項１〜請求項５のいずれかを満たす画像形成装置のうち、前記有効画像領域に対して前記画像変倍手段による変倍処理を行った領域の中に、前記断裁手段による断裁ずれ量と仕上がりサイズの和から決定される領域を含むように、前記画像変倍手段による変倍率の設定を行うことを特徴とする。
【発明の効果】
【００１５】
断裁を行う処理を含む印刷ジョブにおいて原稿画像もしくはネットワーク経由で受信したデジタル画像を最適なサイズで変倍することでふち無し出力を可能とする。
【発明を実施するための最良の形態】
【００１６】
次に、本発明の詳細を実施例の記述に従って説明する。
【実施例１】
【００１７】
本発明に従って構成されたデジタル複写機を一例に挙げて説明する。
【００１８】
図１は、本発明を適用したデジタル複写機の機能構成を示す。
【００１９】
１０１はデジタル複写機の全ての制御を行うＣＰＵであり、１０２はＣＰＵ１０１が実行すべき制御内容を格納したＲＯＭである。１０３はＣＰＵ１０１がデジタル複写機の制御を行うのに必要な作業領域として使うＲＡＭであり、このＲＡＭにはＣＰＵの作業領域以外にも原稿読取部１０５が原稿を読み取ることで得られるデジタル画像や外部Ｉ／Ｆ１０６を経由することでデジタル複写機の外部から送られてきたデジタル画像等も格納している。また、画像処理部１０７が原稿読み取り部１０５や外部Ｉ／Ｆ１０６から得られるデジタル画像に対して画像処理を行う作業領域としても利用される。１０４はデジタル複写機に対してユーザーが実行させたいコピージョブを設定するための操作部であり、操作部１０４以外にも外部Ｉ／Ｆ１０６を経由してプリントジョブを実行することも可能である。
【００２０】
１０５は原稿読取部であり、操作部１０４からの設定によりデジタル複写機の原稿台に載置された原稿の画像を読み取ってデジタル化し、ＲＡＭ１０３に格納する。１０６は外部Ｉ／Ｆであり、ＴＣＰ／ＩＰ等のネットワークと接続されており、ネットワークに接続されたコンピュータからのプリントジョブの実行指示を受け取ったり、逆にデジタル複写機内部の情報をコンピュータに通知することが出来る。画像処理部１０７は、操作部１０４からの片面印刷／両面印刷の設定、拡大縮小などのコピージョブ設定や原稿読取部１０５からの読取画像の内容に応じてデジタル画像に対して必要な画像処理を加え、形成すべきデジタル画像をＲＡＭ１０３に格納する。
【００２１】
画像形成部１０８はＲＡＭ１０３に格納されたデジタル画像からトナー像を形成し、記録紙の上に転写する。定着部１０９は画像形成部１０８にて記録紙の上に転写されたトナー及び記録紙に対して加熱及び加圧することで記録紙上に定着させている。デジタル複写機内部に格納されている記録紙は、給紙部１１０によって給紙され、続いて搬送部１１１によって画像形成部１０８及び定着部１０９に搬送されてトナー像を転写、定着される。この記録紙は、そのまま後処理部１１２に行くか、もしくは２回目の画像形成をする為に搬送部１１１にて再び画像形成部１０８、定着部１０９に向けて搬送される。
【００２２】
このように、必要な面に対してトナー像の転写、定着を行った記録紙は後処理部１１２にて、ステイプルや穴空けなど必要な後処理を行った後に機外に排出される。
【００２３】
図２にデジタル複写機の一般的な構成を示す。図中１００はデジタル複写機本体、２８０は自動原稿送り装置（ＤＦ）である。２０１は原稿載置台としてのプラテンガラスで、２０２はスキャナであり、原稿照明ランプ２０３や走査ミラー２０４等で構成される。不図示のモータによりスキャナが所定方向に往復走査されて原稿の反射光が走査ミラー２０４〜２０６を介してレンズ２０７を透過し、イメージセンサ部２０８内のＣＣＤセンサに結像する。
【００２４】
２１０はレーザやポリゴンスキャナ等で構成された露光制御部で、イメージセンサ部２０８で電気信号に変換され、所定の画像処理が行われた画像信号に基づいて変調されたレーザ光２１９を感光体ドラム２１１に照射する。感光体ドラム２１１の周りには、一次帯電器２１２、現像器２１３、転写ローラ２１６、前露光ランプ２１４、クリーニング装置２１５が装備されている。画像形成部２０９において、感光体ドラム２１１は不図示のモータにより図に示す矢印の方向に回転しており、１次帯電器２１２により所望の電位に帯電された後、露光制御部２１０からのレーザ光２１９が照射され、静電潜像が形成される。感光体ドラム２１１上に形成された静電潜像は、現像器２１３により現像されて、トナー像として可視化される。
【００２５】
一方、右カセットデッキ２２１、左カセットデッキ２２２、上段カセット２２３あるいは下段カセット２２４からピックアップローラ２２５、２２６、２２７、２２８により給紙された記録紙は、給紙ローラ２２９、２３０、２３１、２３２により搬送パスに送られる。続いてレジストローラ２３３により転写部に送られて、感光体ドラム２１１上に形成されたトナー像が転写帯電器２１６により記録紙上に転写される。転写後の感光体ドラム２１１は、クリーナー装置２１５により残留トナーが清掃され、前露光ランプ２１４により残留電荷が消去される。
【００２６】
転写後の記録紙は、分離帯電器２１７によって感光体ドラム２１１から分離され、搬送ベルト２３４によって、そのまま定着器２３５に送られる。定着器に送られた記録紙は、加圧、加熱によりトナーが定着し、内排紙ローラ２３６、排出ローラ２４４により本体１００の外に排出される。
【００２７】
本体１００には、３５００枚の記録紙を収納し得るデッキ２５０が装備されている。デッキ２５０のリフタ２５１は、ピックアップローラ２５２に記録紙が常に当接するように記録紙の量に応じて上昇し、記録紙は給紙ローラ２５３によって本体内の搬送パスに送られる。
【００２８】
また、５０枚の記録紙を収容し得る、マルチ手差し２５４が装備されており、こちらも給紙ローラ２５５、搬送ローラ２５６によってレジストローラ２３３にまで搬送される。
【００２９】
さらに、図２において、２３７は排紙フラッパであり、搬送パス２３８側と排出パス２４３側の経路を切り替える。２４０は下搬送パスであり、内排紙ローラ２３６から送り出された記録紙を、反転パス２３９を介し記録紙を裏返して再給紙パス２４１に導く。左カセットデッキ２２２から給紙ローラ２３０により給紙された記録紙も、再給紙パス２４１に導かれる。２４２は記録紙を画像形成部２０９に再給紙する再給紙ローラである。２４４は排紙フラッパ２３７の近傍に配置されて、この排紙フラッパ２３７により排出パス２４３側に切り替えられた記録紙を機外に排出する排出ローラである。両面記録（両面複写）時には、排紙フラッパ２３７を上方に上げて、複写済みの記録紙を反転パス２３９、下搬送パス２４０を介して再給紙パス２４１に導く。このとき、反転ローラ２４５によって記録紙の後端まで反転パス２３９に引き込み、反転ローラ２４５を逆転させることによって下搬送パス２４０に送り出す。本体から記録紙を反転して排出する時には、排紙フラッパ２３７を上方へ上げ、反転ローラ２４５によって記録紙の後端の一部を残して反転パス２３９に引き込み、反転ローラ２４５を逆転させることによって、記録紙を裏返して排出ローラ２４４側に送り出す。
【００３０】
２６０、２９０は本体１００から排出した記録紙を揃えて綴じる排紙処理装置であり、２６０のくるみ製本機は本文を束ねてその端部に糊付けして表紙を接着する製本機能を備える。２９０のフィニッシャは本体１００から排紙された用紙に対して、整合、ステイプル、Z折り、２つ折り製本の多彩な機能を備えている。
【００３１】
くるみ製本機２６０の機能を分解すると、本文となる記録紙束を蓄積し整合する用紙積載部、整合された本文束の背表紙側に糊付けする糊付け部、糊付けされた本文束と表紙中央部を接着させる接着部、製本された束の端面を整合する為断裁を行う断裁部、製本及び断裁された記録紙束を排出し、装置内に蓄積する製本排紙部に分けられる。
【００３２】
次に、くるみ製本機２６０を用いた製本処理の一連の流れを説明する。本体１００から排紙された記録紙は中紙パス２６３もしくは表紙パス２６４、２６５を搬送される。製本用記録紙のうち、本文つまり製本時における中紙は中紙パス２６３を経由して中紙積載トレイ２６６に蓄積される。中紙積載トレイ２６６では、不図示の整合パッドの揺動によって蓄積した記録紙束を奥手前方向及び記録紙搬送方向のばらつきを整合する。一方、表紙は表紙パス２６４、２６５を搬送され、表紙の中心を表紙パス２６４、２６５の間の隙間にある折りユニット２６９に一致させるように停止する。フィニッシャ２９０に排紙される記録紙も表紙パス２６４、２６５を搬送されて、フィニッシャの入り口に送られる。
【００３３】
中紙積載トレイ２６６に積載された本文用記録紙束はグリッパー２６７で束ごと挟持され、図中の矢印方向に回転する。そして束ごと挟持した状態で糊桶２６８を束の下端に接触させたまま奥手前方向に移動させることで、束の下端全面に糊を塗布する。
【００３４】
次に、糊付けされた本文束と表紙中央部を接着させる処理になる。このとき、糊桶２６８は退避し、グリッパー２６７にて挟持された本文束を降下させることで表紙パス２６４、２６５の間で待機している表紙に接着させる。表紙と本文束は折りユニット２６９に突き当てており、この後折りユニット２６９の中央部を降下させることで糊付けされた記録紙束は降下するが、図３のように折りユニット２６９の両側の加圧部材によって糊塗布面の加圧及び表紙の折りを行う。
【００３５】
折りユニット２６９によって本文束に接着された表紙を折ることで記録紙束は本となり、この後は製本された記録紙束を所望の仕上りサイズになるように断裁処理を行う。折りユニット２６９が退避した後、束搬送ローラ２７０によってトリムグリッパー２７１まで送られる。トリムグリッパー２７１は束の両側から束を挟持して移動させた後、記録紙束を９０度回転させる。その後、トリムグリッパー２７１がカッター２７２による断裁位置まで束を移動させた後、カッター２７２が図中の矢印を左方向に移動することで束を断裁する。断裁された断裁屑は、屑受け箱２７３が束の真下で待機することで落下する断裁屑が回収される。屑受け箱２７３に入った断裁屑は図中の矢印を右方向に移動して、屑受け箱底板２７４が開く事で屑箱２７８に捨てられる。カッター２７２によって記録紙束の１辺を断裁しカッター２７２が退避した後に、トリムグリッパー２７１が記録紙束を９０度回転させ、再びカッター２７２が左方向に移動することで２辺目の断裁を行う。２辺目の断裁が行われた後も同様にカッター２７２の退避及びトリムグリッパー２７１による９０度回転が行われ、３辺目の断裁が行われる。記録紙束を３辺断裁した後、カッター２７２は退避し、トリムグリッパー２７１によって再び９０度回転を行う。
【００３６】
このように製本処理及び断裁処理が行われた記録紙束は製本積載トレイ２７７への排出動作が行われる。前述のようにトリムグリッパー２７１によって記録紙束は９０度移動を４回行っている為、記録紙束は一回転しており糊付け面が下側になっている。製本の排出動作を開始する時点では、製本排出安定板２７６は降下して完全に没している状態である。製本積載トレイ２７７のストッパを図の右方向に移動させ、３辺断裁済みの記録紙束を積載板２７５に落下させた後に積載板２７５を垂直方向に立ち上げることで、記録紙束が製本積載トレイのストッパと積載板２７５の間で起立する。その後、製本排出安定板２７６を上昇させて製本積載トレイ２７７のストッパとの間で出力された記録紙束を挟み込むようにする。そして、ストッパと製本排出安定板２７６を同時に左に移動させることで、製本積載トレイ２７７への排出を完了させる。
【００３７】
なお、このくるみ製本機２６０にはインサータ２６１が装着されており、インサータパス２６２を経由して中紙パス２６３、表紙パス２６４、２６５への挿入が可能となっている。このインサータを用いることで、製本処理を行うジョブにおいて既にプリント済みの用紙もしくは本体１００では搬送困難な特殊紙を表紙もしくは本文への挿入することを可能としている。
【００３８】
次にフィニッシャ２９０の説明を行う。本体１００から一枚毎に排出される記録紙は処理トレイ２９４で積載して整合される。印刷ジョブ中の一部分の記録紙の排出が完了した時点で、予め操作部によって設定された印刷ジョブの設定内容に従ってステイプル処理等の後処理を記録紙束に対して行って排紙トレイ２９２または２９３に排出する。排紙トレイ２９２、２９３は不図示のモータで上下に移動制御され、画像形成動作開始前に処理トレイ２９４の位置になるように移動する。画像形成動作中においては排出された記録紙が積載されていくと排紙トレイ上に積みあがった紙面の高さが処理トレイ２９４の位置に一致するように排紙トレイを降下させる。さらに、２９１は排出された記録紙の間に挿入する用紙を積載するインサータであり、２９５は排出された記録紙をＺ折りするＺ折り機である。また、２９６は排出された記録紙の一部分をまとめて中央で２つ折りし、ステイプルすることで製本を行うサドル製本機であり、サドル製本機２９６で製本された記録紙束は排出トレイ２９７に排出される。
【００３９】
図４、図５は画像処理部１０７のブロック図である。図４では原稿読取部１０５からの画像データをＲＡＭ１０３に格納するまでの処理を表している。ミラー２０２、２０５、２０６、レンズ２０７を経てイメージセンサ２０８内のＣＣＤセンサで結像した原稿画像はＢｌａｃｋの輝度データとして入力され、ＣＣＤセンサによりアナログ電気信号に変換される。変換された画像信号はアナログ信号処理部（不図示）に入力され、サンプル＆ホールド、黒レベル補正等行われた後にＡ／Ｄ変換部４０１にてアナログ／デジタル変換（Ａ／Ｄ変換）され、デジタル化された信号に対してシェーディング補正（原稿を読み取るＣＣＤセンサの感度のばらつき及び原稿照明ランプ２０３の配光特性の補正）を行う。その後、ｌｏｇ変換部４０２に送られる。ｌｏｇ変換部４０２では入力された輝度データを濃度データに変換するｌｏｏｋ−ｕｐ−ｔａｂｌｅ（ＬＵＴ）が格納されており、入力されたデータに対応するＬＵＴのテーブル値を出力することで、原稿を読み取ることで得られる輝度データから原稿画像の濃度データに変換され、この画像データがＲＡＭ１０３に格納される。
【００４０】
図５では、ＲＡＭ１０３に格納された画像データが画像形成部１０８によって記録紙上に形成されるまでの処理の一部を表している。ＲＡＭ１０３に格納された画像データは、まず操作部１０４及び後述の処理によって設定された変倍率に応じて画像変倍部５０１にて指定のサイズの画像データに変倍される。この変倍率は１％刻みで設定され、最大４００％〜最小２５％の範囲で拡大縮小することが出来る。次にγ補正部５０２に送られる。γ補正部５０２では画像データ中の濃度情報をそのまま出力するのではなく、画像形成部１０８の入出力特性を考慮したＬＵＴ変換を行い、操作部１０４から支持された濃度値に応じた出力の調整を行う。その後、８ｂｉｔ情報である多値の濃度データを２値化処理部５０３にて２値化して”０”もしくは”１”に変換する。
【００４１】
続いて２値化された濃度データからなる画像データはスムージング処理部５０４に送られる。スムージング処理部５０４では２値化した画像の端部が滑らかになるようにデータの補間が行われ、この画像データが画像枠形成部５０５に送られる。
【００４２】
画像枠形成部５０５では、画像を形成すべき記録紙の用紙サイズと余白の幅に対応した画像枠を形成し、スムージング処理部５０４からの出力画像データに画像枠を当てはめて、この枠からはみ出た部分、つまり用紙に画像形成可能な領域より大きい部分の画像データを削除する。この画像枠形成部５０５にて用紙サイズに対応した画像データを生成した後、画像形成部１０８に出力する。画像形成部１０８では画像データに応じて露光制御部２１０からのレーザー照射を制御する。
【００４３】
次に、原稿画像を仕上がりサイズに合わせて変倍する処理について図６のフロー図を用いて説明を行う。
【００４４】
まず、操作部１０４から製本モードを設定する（Ｓ６０１）と、ウィンドウが開いてその中で詳細設定を行う。一番初めに本文および表紙となる原稿の用紙サイズをそれぞれ設定する（Ｓ６０２）。そして、その原稿の中で画像形成対象とする領域として有効画像領域を設定する（Ｓ６０３）。原稿読取部１０５では、ここで設定された部分に対して画像の読取を行う。次に、記録紙を給紙する給紙段も本文と表紙それぞれに対して選択する（Ｓ６０４）。そしてＳ６０４で選択した用紙サイズから製本可能な仕上がりサイズを設定させる（Ｓ６０５）。この時、選択可能な最大の仕上がりサイズは表紙の用紙サイズから背表紙分として２５ｍｍ幅を抜いた分の半分のサイズもしくは本文の用紙サイズのより小さいサイズよりも断裁処理において最低限必要な裁ち代分だけ小さいサイズとなる（図７参照）。
【００４５】
このＳ６０１〜Ｓ６０５までの一連の製本モードの設定により、原稿の有効領域の設定サイズと仕上がりサイズの設定から本実施形態の特徴である原稿の変倍率を決定する処理について説明する。
【００４６】
本実施形態での具体的なサイズを用いて説明する。まず原稿は表紙：Ａ３サイズ（主走査方向：２９７ｍｍ×副走査方向：４２０ｍｍ）、本文：Ａ４サイズ（２９７ｍｍ×２１０ｍｍ）であり、この周囲４ｍｍは余白となっている為、有効画像領域を以下の矩形領域に設定する。
【００４７】
表紙：用紙左上を基準に４ｍｍ×４ｍｍ〜２９３ｍｍ×４１６ｍｍ
（画像サイズ：２８９ｍｍ×４１２ｍｍ）
本文：用紙左上を基準に４ｍｍ×４ｍｍ×２９３ｍｍ×２０６ｍｍ
（画像サイズ：２８９ｍｍ×２０２ｍｍ）
一方、給紙する記録紙のサイズはＡ４サイズ、仕上がりサイズはＢ５サイズ（２５７ｍｍ×１８２ｍｍ）と設定している。ここで、断裁部の断裁精度は断裁中心から±１ｍｍであることから、図８にて示すように２８９ｍｍ×２０２ｍｍのサイズを持つ本文の原稿画像を縮小した後に２５９ｍｍ×１８３ｍｍの領域を含むことができる最大の変倍率を求めればよい。
【００４８】
よって、
主走査方向：２５９／２８９＝８９．６％
副走査方向：１８３／２０２＝９０．５％
であることから原稿画像を主走査方向および副走査方向ともに９１％に縮小（変倍率は先述のように１％刻みで設定）すれば、仕上がりサイズ＋断裁精度による追加分の領域の全てを原稿画像で覆うことが出来る為、断裁後に不必要な余白を発生させることが無くなる。
【００４９】
表紙の原稿については、副走査方向が背表紙分だけ画像位置がずれることもあり、本文の変倍率と同じ値（＝９１％）にする。
【００５０】
以上のように原稿に対する変倍率を設定（Ｓ６０６）した後、ＤＦ２８０から原稿の読み込みを開始する（Ｓ６０７）。原稿の読み込みが完了した（Ｓ６０８−Ｙｅｓ）後、本文用記録紙としてＡ４サイズ用紙の給紙を開始する（Ｓ６０９）。
【００５１】
用紙の給紙を開始した後、ＲＡＭ１０３に格納されている原稿画像を読み出してＳ６０６で設定した変倍率に従って画像変倍部５０１で９１％のサイズに縮小する（Ｓ６１０）。そして、この画像を記録紙に糊付けする辺にずらしてレイアウトを決定する（Ｓ６１１）。この画像情報を画像形成部１０８に送信し、決定されたレイアウトどおりの内容で記録紙上に画像形成を行う（Ｓ６１２）。
【００５２】
このように、本文画像の記録紙への画像形成及び表紙画像の記録紙への画像形成（Ｓ６１３）と搬送（Ｓ６１４）が、正常に完了した後（Ｓ６１４−Ｙｅｓ）、製本動作を開始する。
【００５３】
まず、本文が画像形成されている記録紙束を中紙積載トレイ２６６にて整合（Ｓ６１６）して記録紙間の位置ずれを無くして、記録紙の束を挟持する。そのまま本文の束の一辺に糊付け（Ｓ６１７）して、表紙の中央部に接着させる（Ｓ６１８）。その後、本文と表紙が糊付けされた状態で折りユニット２６９によって表紙を折って本文を包む（Ｓ６１９）ようにして、記録紙束になった状態で糊付けを行った一辺を除く残りの三辺を断裁した（Ｓ６２０）後、製本積載トレイ２７７に排出する（Ｓ６２１）。
【００５４】
このように、図６の一連のフローチャートに従って、ユーザーが有効画像領域を操作部１０４から設定し、有効画像領域を仕上がりサイズと断裁ずれ量の和の領域を含むサイズまで縮小することで原稿画像に対するふち無し出力を行いながら、原稿画像が断裁される量を最小限にすることを可能としている。
【実施例２】
【００５５】
本実施形態のデジタル複写機の断面図、機能構成などについては第一の実施形態と同様であり詳細は既述している為、第一の実施形態と異なる部分についてのみ説明をする。
【００５６】
本実施形態のデジタル複写機では、有効画像領域の設定の手続きが第一の実施形態とは異なっている。原稿画像を読み込んでその画像の内容に従って有効画像領域を設定している。よって、図９に示す製本に関する一連のフロー図のうち、原稿画像に対する記録紙上への変倍率を設定する部分までを説明する。
【００５７】
まず、操作部１０４で製本モードを設定し（Ｓ９０１）、ウィンドウが開いて詳細設定を行う。次に原稿サイズの設定の後（Ｓ９０２）、有効画像領域の設定方法を自動設定か手動設定か選択させる（Ｓ９０３）。手動設定を選択した場合（Ｓ９０４−Ｎｏ）だと以降の処理は第一の実施形態と同じになる為、この後の説明は割愛する。自動設定を選択した場合（Ｓ９０４−Ｙｅｓ）は原稿の読み込みが完了するまで（Ｓ９１０−Ｙｅｓ）まで変倍率の設定は行わない。
【００５８】
そして、原稿の読み込みが完了した時点（Ｓ９１０−Ｙｅｓ）で、ＲＡＭ１０３に格納されている原稿画像の内容を分析することで有効画像領域を設定する。
【００５９】
具体的には、原稿の余白部分の色は用紙の色と一致し、大抵白もしくは無色である。それに対して原稿の部分は赤、黄色、黒など色を有している。よって、ＲＡＭ１０３内に格納されている原稿画像を分析し、原稿を構成する全ての画素に対して色情報をチェックする。一例として、図１０−１のように余白以外は有色画素となっている原稿に対して分析を行った時の処理内容を説明する。
【００６０】
原稿画像の一番左の画素から右に向かって順に画像濃度をチェックし、この濃度が所定のレベルを超えている（＝色を有する）か確認する。もし、画像濃度が所定のレベルを超えていた時、この位置を左余白と画像領域の境界と判断する。もし、チェックする画素が一番右の画素に到達しても左余白との境界を検知できなかった場合は１ラインが全て余白と判断される。逆に、左余白との境界が検知できた場合は右側の余白を調べる為、今度は一番右の画素から左に向かって順に画像濃度をチェックして、右余白と画像領域の境界を調べる。
【００６１】
このように１ライン毎に左右余白を調べる処理を一番上から順に下に向かって繰り返すことで、図１０−２のように原稿画像の全周にわたって余白を調べることができる。この結果、余白と画像領域の境界に囲まれた領域ができるが、この領域が有効画像領域である。
【００６２】
この有効画像領域の判定を全ての原稿に対して行い、そのうち最も大きな有効画像領域とＳ９０６で決定した仕上がりサイズを比較することで変倍率が決定される（Ｓ９１１）。なお、変倍率は全ての原稿の中で最大の有効画像領域を持つ原稿の有効画像領域と、仕上がりサイズを比較した結果を元に得られる値に統一させ、原稿１枚毎に変倍率を変更することはしない。
【００６３】
原稿の読み込み及び変倍率の設定が完了した後は、第一の実施形態と同様の内容のため、以降の説明を省略する。
【００６４】
このように、図９の一連のフローチャートに従って、原稿画像を画像形成装置内で分析することで有効画像領域を設定し、この有効画像領域を仕上がりサイズに対して断裁ずれ量だけ拡大した領域を含む最小のサイズに縮小することで原稿画像に対するふち無し出力を行いながら原稿画像が断裁される量を最小限にすることを可能としている。
【実施例３】
【００６５】
本実施形態のデジタル複写機の断面図、機能構成などについては第一、第二の実施形態と同様であり詳細は既述している為、第一、第二の実施形態と異なる部分についてのみ説明をする。
【００６６】
本実施形態のデジタル複写機では、TCP/IPで接続された不図示のネットワーク回線からデジタル画像の印刷要求を受けて印刷することが可能となっている。このデジタル画像の情報には、画像そのものだけでは無く出力用紙サイズ、後処理内容などの設定、拡大縮小率などの設定だけではなく上下左右の余白も設定情報も含まれている。なお、これらの設定はデジタル画像の印刷要求を発行するコンピュータにインストールされているプリンタドライバで設定が可能であり、拡大縮小率に例えば１００％、８６％といった数値を入れて指定することも可能だが、自動調整という設定も可能である。
【００６７】
よって、このプリンタドライバの設定において拡大縮小率が自動調整になっている場合には、出力用紙サイズから上下左右の余白分を除いたサイズが有効画像領域とする。そして、後処理内容に対する設定にてくるみ製本を行う場合には仕上がりサイズを設定していることから、有効画像領域と仕上がりサイズ＋断裁ずれ量との比較によって原稿画像の変倍率を決定することができる。
【００６８】
デジタル画像に対する変倍率を決定した後は第一の実施形態とほぼ同様の制御になるため、以降の説明は省略する。
【００６９】
このように、デジタル画像に付属する余白量設定を用いてデジタル画像の有効画像領域を決定することで、製本ジョブにおけるふち無し出力を行いながら所望の成果物における画像の欠落を最小限にしている。
【図面の簡単な説明】
【００７０】
【図１】第一実施形態のデジタル複写機の機能構成図
【図２】第一実施形態のデジタル複写機の断面図
【図３】折りユニットの折り処理の説明図
【図４】画像処理部のブロック図
【図５】画像処理部のブロック図
【図６】第一の実施形態のデジタル複写機における製本モードのフローチャート
【図７】表紙と最大仕上がりサイズの関係の説明図
【図８】原稿と仕上がりサイズの関係における変倍率の説明図
【図９】第二の実施形態のデジタル複写機における製本モードのフローチャート
【図１０】原稿の余白と画像領域の境界分析における説明図
【図１】
2009128439.tif 000003
【図２】
2009128439.tif 000004
【図３】
2009128439.tif 000005
【図４】
2009128439.tif 000006
【図５】
2009128439.tif 000007
【図６】
2009128439.tif 000008
【図７】
2009128439.tif 000009
【図８】
2009128439.tif 000010
【図９】
2009128439.tif 000011
【図１０】
2009128439.tif 000012